(57)【要約】【課題】  利便性を向上することのできる電話機を提供する。【解決手段】  通話中の相手先に電話番号を通知する番号通知キー４９を設け、番号通知キー４９を操作した際に電話帳データの一件のデータが選択されているときは該データの電話番号を通知し、発信履歴の一件のデータが選択されているときは該データの電話番号を通知し、着信履歴の一件のデータが選択されているときは該データの電話番号を通知する。また、番号通知キー４９を操作する直前に短縮ダイヤルの登録番号を入力する数字キーが操作されているときは該短縮ダイヤルの登録番号に対応する電話番号を通知する。これらの何れも行われていないときは電話機１自身の電話番号を通知する。【選択図】        図２
2007088867.tif 000002
【特許請求の範囲】
【請求項１】
通話中の相手先に電話番号を通知する番号通知指示手段を設け、前記番号通知指示手段を操作した際に、
電話帳データの一件のデータが選択されているときは該データの電話番号を通知し、
発信履歴の一件のデータが選択されているときは該データの電話番号を通知し、
着信履歴の一件のデータが選択されているときは該データの電話番号を通知し、
電話帳データ、発信履歴及び着信履歴のデータが選択されていないときは自装置の電話番号を通知することを特徴とする電話機。
【請求項２】
前記番号通知指示手段を操作する直前に短縮ダイヤルの登録番号を入力する数字入力手段が操作がされているときは該短縮ダイヤルの登録番号に対応する電話番号を通知することを特徴とする請求項１に記載の電話機。
【請求項３】
通話音声を出力するスピーカを備え、電話番号の音声データを送信して音声により相手先に通知するとともに、該音声データの音声を前記スピーカから出力することを特徴とする請求項１または請求項２に記載の電話機。
【発明の詳細な説明】
【技術分野】
【０００１】
本発明は、電話番号通知機能を有する電話機に関する。
【背景技術】
【０００２】
従来の電話機は特許文献１に開示されている。この電話機は電話帳データを記憶でき、通話中に電話帳データから選択したデータの電話番号を相手先に送信して通知できるようになっている。これにより、携帯型電話機のように電話帳データの表示部と通話部とが一体の電話機において、表示部に表示された電話番号を使用者が記憶して相手先に伝える必要がない。このため、正確に電話番号を通知することができる。
【特許文献１】特開２００４−５６５１８号公報（第４頁−第９頁、第１図）
【特許文献２】特開平１１−２０５８５２号公報（第２頁−第３頁、第１図）
【発明の開示】
【発明が解決しようとする課題】
【０００３】
しかしながら、上記の電話機によると、電話帳データに所望の電話番号のデータがないと通知できない場合や、電話帳データから所望のデータを見つけられずに手間がかかる場合がある。また、使用者自身の電話機の電話番号を通知することができない。このため、電話機の利便性が悪い問題があった。
【０００４】
本発明は、利便性を向上することのできる電話機を提供することを目的とする。
【課題を解決するための手段】
【０００５】
上記目的を達成するために本発明は、  通話中の相手先に電話番号を通知する番号通知指示手段を設け、前記番号通知指示手段を操作した際に、
電話帳データの一件のデータが選択されているときは該データの電話番号を通知し、
発信履歴の一件のデータが選択されているときは該データの電話番号を通知し、
着信履歴の一件のデータが選択されているときは該データの電話番号を通知し、
電話帳データ、発信履歴及び着信履歴のデータが選択されていないときは自装置の電話番号を通知することを特徴としている。
【０００６】
この構成によると、通話中に電話帳データ、発信履歴、着信履歴のいずれかの一件のデータを選択して番号通知指示手段を操作すると該データの電話番号が相手先に通知される。また、電話帳データ、発信履歴、着信履歴のいずれかのデータを選択せずに番号通知指示手段を操作すると使用者自身の電話機の電話番号が相手先に通知される。番号通知指示手段はキー、ボタン、タッチパネル等から成る。
【０００７】
また本発明は、上記構成の電話機において、前記番号通知指示手段を操作する直前に短縮ダイヤルの登録番号を入力する数字入力手段が操作がされているときは該短縮ダイヤルの登録番号に対応する電話番号を通知することを特徴としている。この構成によると、通話中に短縮ダイヤルの登録番号を入力した後に番号通知指示手段を操作すると短縮ダイヤルに対応する電話番号が相手先に通知される。
【０００８】
また本発明は、上記構成の電話機において、通話音声を出力するスピーカを備え、電話番号の音声データを送信して音声により相手先に通知するとともに、該音声データの音声を前記スピーカから出力することを特徴としている。この構成によると、相手先の電話機及び使用者自身の電話機から音声で電話番号が通知される。
【発明の効果】
【０００９】
本発明によると、電話帳データに登録されたデータだけでなく、発信履歴及び着信履歴に記憶されたデータの電話番号を通知できるので、電話帳データに所望の電話番号が記憶されていない場合でも発信履歴や着信履歴に記憶されていれば相手先に通知できる。また、過去に発信または着信があった場合は電話帳データを探さなくても所望の電話番号を容易に探して相手先に通知できる。加えて、自分の電話番号を簡単に通知することができる。従って、電話機の利便性を向上させることができる。
【００１０】
また本発明によると、短縮ダイヤルに登録された電話番号を相手先に通知できるので、電話機の利便性を更に向上させることができる。
【００１１】
また本発明によると、相手先の電話機と使用者自身の電話機の両方に電話番号が音声で発せられるので、使用者は相手先に通知されたか否かを容易に判断できる。また、使用者は自分の音声が電話番号通知の音声と重ならないように、電話番号通知の終了を判断して通話を再開することができる。
【発明を実施するための最良の形態】
【００１２】
以下に本発明の実施形態を図面を参照して説明する。図１は一実施形態の電話機の構成を示すブロック図である。電話機１は携帯電話機から成り、詳細を後述するように通話部と表示部とが一体になっている。電話機１は、マイクロプロセッサ（不図示）を有して各部を制御する制御部３０を備えている。制御部３０にはＧＰＳ受信部１２、電話通信部１０、ベースバンド部１４、切替部１７、ＲＯＭ３１、ＲＡＭ３２、表示部３４、バイブレータ３５、入力部４０が接続される。
【００１３】
ＧＰＳ受信部１２はＧＰＳ（Global Positioning System）の通信衛星が発する電波をＧＰＳアンテナ１３を介して受信し、電波に含まれる位置情報を電気信号に変換して制御部３０に出力する。ＧＰＳ受信部１２から出力された信号は制御部３０に設けられたＧＰＳ処理部３３で処理される。電話通信部１０はベースバンド部１４からの信号をアンテナ１１を介して基地局へ送信するとともに、基地局からの電波をアンテナ１１を介して受信する。
【００１４】
ベースバンド部１４はＣＤＭＡ処理部１５と音声コーデック１６とを有している。ＣＤＭＡ処理部１５は符号分割多元接続（Code Division Multiple Access）、スクランブル、誤り制御及びタイミング検出を行う。音声コーデック１６は音声の圧縮（符号化）、音声の伸長（復号化）、アナログディジタル変換等を行う。
【００１５】
ベースバンド部１４には切替部１７を介して増幅回路２１、２２、２３が接続される。増幅回路２１、２２、２３にはそれぞれスピーカ１８、マイクロフォン１９及び拡声スピーカ２０が接続される。スピーカ１８は受話を行い、マイクロフォン１９は送話を行う。これにより通話を行う通話部が構成される。拡声スピーカ２０は受話音を拡声して周囲に聞かせたり、着信報知の鳴動を行う。
【００１６】
増幅回路２１、２２、２３はゲイン固定になっている。このため、制御部３０からの指令によって音声コーデック１６がスピーカ１８及び拡声スピーカ２０の音量調整やマイクロフォン１９の感度調整を行う。
【００１７】
ＲＯＭ３１は制御部３０により動作する動作プログラムや設定データを記憶する。ＲＡＭ３２は動作プログラム実行中の演算結果を一時保管する。また、ＲＡＭ３２は不揮発性になっており、使用者による設定データ、電話帳データ、着信履歴及び発信履歴を格納することができる。表示部３４は液晶表示パネルから成り、電話番号等の視覚情報を表示する。バイブレータ３５はマナーモード時に振動によって着信を報知する。
【００１８】
入力部４０はテンキー４１、通話キー４２、終話キー４３、カーソルキー４４、ｍａｉｌキー４５、Ｗｅｂキー４６、マナーキー４７、登録キー４８、番号通知キー４９を有し、各種のユーザ操作を行う。
【００１９】
テンキー４１（数字入力手段）は数字や文字を入力する。通話キー４２は通話を開始する。終了キー４３は通話を終了する。カーソルキー４４は表示部３４の画面上のカーソルを上下左右に移動させる。ｍａｉｌキー４５はメールモードに切り替える。Ｗｅｂキー４６はインターネットモードに切り替える。マナーキー４７はマナーモードに切り替える。登録キー４８はキー操作を確定して入力データをＲＡＭ３２に登録する。番号通知キー４９（番号通知指示手段）は所定の電話番号を通話の相手先に通知するように指示する。
【００２０】
上記構成の電話機１において、着信があると通話キー４２を押下して通話が可能になる。テンキー４１を押下して電話番号を入力した後に通話キー４２を押下すると発信して通話可能になる。また、表示部３４に表示されるメニューをカーソルキー４４により操作し、電話帳データから所望の１件のデータを選択して表示することができる。このデータの電話番号を表示し、通話キー４２を押下して発信することもできる。カーソルキー４４の操作により発信履歴や着信履歴から所望の１件のデータを選択し、電話番号を表示して発信してもよい。
【００２１】
また、予め所望の電話番号を短縮ダイヤルに登録することができる。テンキー４１により所定の文字入力後に登録番号を入力操作すると、該登録番号の短縮ダイヤルに対応する電話番号に発信して通話することもできる。
【００２２】
通話中に番号通知キー４９を操作すると電話番号を相手先に通知することができる。図２は番号通知の動作を示すフローチャートである。ステップ＃１１ではキー操作を監視する。キー操作があるとステップ＃１２に移行し、テンキー４１により短縮ダイヤルの登録番号（同図において「短縮番号」と記載する）に該当する数字が入力されたか否かが判断される。
【００２３】
短縮ダイヤルの登録番号が入力された場合はステップ＃１５に移行して入力された短縮ダイヤルの登録番号がＲＡＭ３２に記憶される。ステップ＃１６では短縮ダイヤルの登録番号が入力されたことを示すフラグＦに１が代入される。そして、ステップ＃１１に戻り、次のキー操作を待機する。
【００２４】
ステップ＃１２の判断により短縮ダイヤルの登録番号の入力でない場合はステップ＃１３に移行し、番号通知キー４９が操作されたか否かが判断される。番号通知キー４９の操作でない場合はステップ＃１４でフラグＦに０が代入される。そして、ステップ＃１１に戻り、次のキー操作を待機する。この時、カーソルキー４４や終話キー４３等の操作によって各キー操作に応じた動作が行われる。
【００２５】
番号通知キー４９が操作されるとステップ＃２１で電話帳データから１件のデータを選択して表示部３４に表示した状態か否かが判断される。電話帳データから１件のデータを選択した状態の場合はステップ＃２５に移行し、そのデータの電話番号が抽出される。電話帳データから１件のデータを選択した状態でない場合はステップ＃２２に移行する。
【００２６】
ステップ＃２２では発信履歴から１件のデータを選択して表示部３４に表示した状態か否かが判断される。発信履歴から１件のデータを選択した状態の場合はステップ＃２５に移行し、そのデータの電話番号が抽出される。発信履歴から１件のデータを選択した状態でない場合はステップ＃２３に移行する。
【００２７】
ステップ＃２３では着信履歴から１件のデータを選択して表示部３４に表示した状態か否かが判断される。着信履歴から１件のデータを選択した状態の場合はステップ＃２５に移行し、そのデータの電話番号が抽出される。着信履歴から１件のデータを選択した状態でない場合はステップ＃２４に移行する。
【００２８】
ステップ＃２４ではフラグＦが１か否かが判断される。フラグＦが１の場合は番号通知キー４９を操作する直前に短縮ダイヤルの登録番号を入力するテンキー４１が操作されている。このため、ステップ＃２５に移行してＲＡＭ３２に記憶された短縮ダイヤルの登録番号に対応する電話番号が抽出される。フラグＦが０の場合は番号通知キー４９の操作直前に短縮ダイヤルの登録番号が入力されていない。このため、ステップ＃２６に移行し、電話機１自身の電話番号が抽出される。
【００２９】
ステップ＃２７では、ステップ＃２５、＃２６で抽出された電話番号が制御部３０により音声データに変換される。ステップ＃２８では通話の相手先に音声データを送信する。これにより、相手先の電話機から音声によって電話番号が通知される。また、同時に電話機１自身のスピーカ１８から該音声データの音声が出力される。
【００３０】
本実施形態によると、電話帳データに登録されたデータだけでなく、発信履歴及び着信履歴に記憶されたデータの電話番号や短縮ダイヤルに登録された電話番号を通知できるので、電話帳データに所望の電話番号が記憶されていない場合でも相手先に通知できる。また、過去に発信または着信があった場合は電話帳データを探さなくても所望の電話番号を容易に探して相手先に通知できる。加えて、自分の電話番号を簡単に通知することができる。従って、電話機１の利便性を向上させることができる。
【００３１】
また、相手先の電話機と使用者自身の電話機１の両方に電話番号が音声で発せられるので、使用者は相手先に通知されたか否かを容易に判断できる。また、使用者は自分の音声が電話番号通知の音声と重ならないように、電話番号通知の終了を判断して通話を再開することができる。
【００３２】
本実施形態において携帯電話機について説明しているが、卓上型の電話機であってもよい。また、入力部４０は操作キーから成るが、押しボタンやタッチパネルにより構成してもよい。
【産業上の利用可能性】
【００３３】
本発明は、電話番号通知機能を有する携帯電話機や卓上型の電話機に利用することができる。
【図面の簡単な説明】
【００３４】
【図１】本発明の実施形態の電話機の構成を示すブロック図
【図２】本発明の実施形態の電話機の番号通知の処理を示すフローチャート
【符号の説明】
【００３５】
１    電話機
１０    電話通信部
１２    ＧＰＳ受信部
１４    ベースバンド部
１７    切替部
１８    スピーカ
１９    マイクロフォン
２０    拡声スピーカ
２１、２２、２３  増幅回路
３０    制御部
３１    ＲＯＭ
３２    ＲＡＭ
３４    表示部
３５    バイブレータ
４０    入力部
４１    テンキー
４９    番号通知キー
【図１】
2007088867.tif 000003
【図２】
2007088867.tif 000004